【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
ワイヤレス通信デバイスにおけるワイヤレス通信の方法であって、
前記ワイヤレス通信デバイスの２つまたはそれ以上のリッスンビフォアトーク（ＬＢＴ）プロシージャ間の、共有無線周波数スペクトル帯域を使用する送信の数を識別することと、ここにおいて、前記識別することは、
前記共有無線周波数スペクトル帯域を使用する第１の送信を識別することと、
前記第１の送信がデータ送信であると決定することと、
前記第１の送信がデータ送信であるという前記決定に続いて、送信の前記数のカウントを増分することと
を備え、
前記共有無線周波数スペクトル帯域を使用する送信の前記識別された数に少なくとも部分的に基づいて、送信ごと中断（ＩＰＴ）値を識別することと、
前記ＩＰＴ値に少なくとも部分的に基づいてターゲット競合ウィンドウ（ＣＷ）値を決定することと、
前記ターゲットＣＷ値と前記ワイヤレス通信デバイスの前のＬＢＴプロシージャに関連する前のＣＷ値とに少なくとも部分的に基づいて、新しいＣＷ値を計算することと
を備える、方法。
【請求項２】
前記新しいＣＷ値に少なくとも部分的に基づいて後続のＬＢＴプロシージャを開始することと、
前記後続のＬＢＴプロシージャに続いて、前記識別すること、前記決定すること、および前記計算することを繰り返すことと
をさらに備える、請求項１に記載の方法。
【請求項３】
前記共有無線周波数スペクトル帯域を使用する送信の前記数を識別することは、
前記ワイヤレス通信デバイスの第１のＬＢＴプロシージャと前記ワイヤレス通信デバイスの第２のＬＢＴプロシージャとの間の、前記共有無線周波数スペクトル帯域を使用する送信を識別すること
を備える、請求項１に記載の方法。
【請求項４】
前記共有無線周波数スペクトル帯域を使用する送信の前記数を識別することは、
前記ワイヤレス通信デバイスの複数のＬＢＴプロシージャ間の送信の複数の識別された数を平均化すること
を備える、請求項１に記載の方法。
【請求項５】
前記新しいＣＷ値を計算することは、
前記前のＣＷ値が前記ターゲットＣＷ値よりも大きいと決定することと、
前記新しいＣＷ値を最小ＣＷ値として設定することと
を備える、請求項１に記載の方法。
【請求項６】
前記新しいＣＷ値を計算することは、
前記前のＣＷ値が前記ターゲットＣＷ値よりも小さいと決定することと、
２倍の前のＣＷ値を計算することと、
前記新しいＣＷ値を、前記２倍の前のＣＷ値が最大ＣＷ値を超える場合、前記最大ＣＷ値として設定することと、または、前記２倍の前のＣＷ値として設定することと、
を備える、請求項１に記載の方法。
【請求項７】
前記新しいＣＷ値を計算することは、
前記新しいＣＷ値を計算する際に使用するためのスケーリングファクタを識別することと、
前記ターゲットＣＷ値と前記前のＣＷ値との間の差に前記スケーリングファクタを適用することと、
前記ターゲットＣＷ値と前記前のＣＷ値との間の前記スケーリングされた差に少なくとも部分的に基づいて、前記新しいＣＷ値を計算することと
を備える、請求項１に記載の方法。
【請求項８】
前記スケーリングファクタが、前記ターゲットＣＷ値と前記前のＣＷ値との間の差、前記ターゲットＣＷ値が前記前のＣＷ値を超える、前のＬＢＴプロシージャの数、前記ワイヤレス通信デバイスによって送信されるべきデータのサービス品質（ＱｏＳ）パラメータ、または前記共有無線周波数スペクトル帯域を使用して送信するノードの数、またはそれらの組合せのうちの１つまたは複数に基づいて決定される、請求項７に記載の方法。
【請求項９】
前記共有無線周波数スペクトル帯域を使用する送信の前記数を識別することは、
観測スロット長さ、初期測定延期期間、またはバックオフ期間、またはこれらの組合せのうちの１つまたは複数に少なくとも部分的に基づいて、前記共有無線周波数スペクトル帯域のエネルギーレベルを測定すること
を備える、請求項１に記載の方法。
【請求項１０】
前記ワイヤレス通信デバイスが基地局であり、前記新しいＣＷ値が、前記共有無線周波数スペクトル帯域を使用する、ユーザ機器（ＵＥ）へのダウンリンク（ＤＬ）送信の送信のために使用される、請求項１に記載の方法。
【請求項１１】
前記ワイヤレス通信デバイスが基地局であり、ここにおいて、前記方法が、
前記共有無線周波数スペクトル帯域を使用してアップリンク（ＵＬ）送信を前記基地局に送信する際の１つまたは複数のユーザ機器（ＵＥ）デバイスによる使用のために、前記新しいＣＷ値を前記１つまたは複数のＵＥデバイスにシグナリングすること
をさらに備える、請求項１に記載の方法。
【請求項１２】
前記基地局へのＵＬ送信を試みるようにスケジュールされたＵＥの数と、前記共有無線周波数スペクトル帯域を使用して送信するように構成されたＵＥの総数とに少なくとも部分的に基づいて、前記新しいＣＷ値をスケーリングすること
をさらに備える、請求項１１に記載の方法。
【請求項１３】
前記ワイヤレス通信デバイスがユーザ機器（ＵＥ）であり、前記新しいＣＷ値が、前記共有無線周波数スペクトル帯域を使用する、基地局へのアップリンク（ＵＬ）送信の送信のために使用される、請求項１に記載の方法。
【請求項１４】
ワイヤレス通信デバイスにおけるワイヤレス通信のための装置であって、
前記ワイヤレス通信デバイスの２つまたはそれ以上のリッスンビフォアトーク（ＬＢＴ）プロシージャ間の、共有無線周波数スペクトル帯域を使用する送信の数を識別するための手段と、ここにおいて、前記識別するための手段は、
前記共有無線周波数スペクトル帯域を使用する第１の送信を識別するための手段と、
前記第１の送信がデータ送信であると決定するための手段と、
前記第１の送信がデータ送信であるという前記決定に続いて、送信の前記数のカウントを増分するための手段と
を備え、
前記共有無線周波数スペクトル帯域を使用する送信の前記識別された数に少なくとも部分的に基づいて、送信ごと中断（ＩＰＴ）値を識別するための手段と、
前記ＩＰＴ値に少なくとも部分的に基づいてターゲット競合ウィンドウ（ＣＷ）値を決定するための手段と、
前記ターゲットＣＷ値と前記ワイヤレス通信デバイスの前のＬＢＴプロシージャに関連する前のＣＷ値とに少なくとも部分的に基づいて、新しいＣＷ値を計算するための手段と
を備える、装置。
【請求項１５】
コードを記憶するコンピュータ可読媒体であって、前記コードは、実行されるとコンピュータに請求項１ないし１３のいずれか一項に記載の方法を行わせる命令を備える、コンピュータ可読媒体。
【手続補正２】
【補正対象書類名】明細書
【補正対象項目名】０１３７
【補正方法】変更
【補正の内容】
【０１３７】
[0141]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］  ワイヤレス通信デバイスにおけるワイヤレス通信の方法であって、
前記ワイヤレス通信デバイスの２つまたはそれ以上のリッスンビフォアトーク（ＬＢＴ）プロシージャ間の、共有無線周波数スペクトル帯域を使用する送信の数に少なくとも部分的に基づいて、送信ごと中断（ＩＰＴ）値を識別することと、
前記ＩＰＴ値に少なくとも部分的に基づいてターゲット競合ウィンドウ（ＣＷ）値を決定することと、
前記ターゲットＣＷ値と前記ワイヤレス通信デバイスの前のＬＢＴプロシージャに関連する前のＣＷ値とに少なくとも部分的に基づいて、新しいＣＷ値を計算することと
を備える、方法。
［Ｃ２］  前記新しいＣＷ値に少なくとも部分的に基づいて後続のＬＢＴプロシージャを開始することと、
前記後続のＬＢＴプロシージャに続いて、前記識別すること、前記決定すること、および前記計算することを繰り返すことと
をさらに備える、Ｃ１に記載の方法。
［Ｃ３］  前記ＩＰＴ値を識別することが、
前記ワイヤレス通信デバイスの第１のＬＢＴプロシージャと前記ワイヤレス通信デバイスの第２のＬＢＴプロシージャとの間の、前記共有無線周波数スペクトル帯域を使用する送信の数を識別すること
を備える、Ｃ１に記載の方法。
［Ｃ４］  前記ＩＰＴ値を識別することが、
前記ワイヤレス通信デバイスの複数のＬＢＴプロシージャ間の送信の複数の識別された数を平均化すること
を備える、Ｃ１に記載の方法。
［Ｃ５］  前記新しいＣＷ値を計算することは、
前記前のＣＷ値が前記ターゲットＣＷ値よりも大きいと決定することと、
前記新しいＣＷ値を最小ＣＷ値として設定することと
を備える、Ｃ１に記載の方法。
［Ｃ６］  前記新しいＣＷ値を計算することは、
前記前のＣＷ値が前記ターゲットＣＷ値よりも小さいと決定することと、
２倍の前のＣＷ値を計算することと、
前記新しいＣＷ値を、前記２倍の前のＣＷ値が最大ＣＷ値を超える場合、前記最大ＣＷ値として設定することと、または、前記２倍の前のＣＷ値として設定することと、
を備える、Ｃ１に記載の方法。
［Ｃ７］  前記前のＣＷ値が前記ターゲットＣＷ値よりも小さいと前記決定することは、
前記前のＣＷ値と前記ターゲットＣＷ値との間の差がしきい値を超えると決定することをさらに備える、Ｃ６に記載の方法。
［Ｃ８］  前記新しいＣＷ値を計算することが、
前記新しいＣＷ値を計算する際に使用するためのスケーリングファクタを識別することと、
前記ターゲットＣＷ値と前記前のＣＷ値との間の差に前記スケーリングファクタを適用することと、
前記ターゲットＣＷ値と前記前のＣＷ値との間の前記スケーリングされた差に少なくとも部分的に基づいて、前記新しいＣＷ値を計算することと
を備える、Ｃ１に記載の方法。
［Ｃ９］  前記スケーリングファクタが、前記ターゲットＣＷ値と前記前のＣＷ値との間の差、前記ターゲットＣＷ値が前記前のＣＷ値を超える、前のＬＢＴプロシージャの数、前記ワイヤレス通信デバイスによって送信されるべきデータのサービス品質（ＱｏＳ）パラメータ、または前記共有無線周波数スペクトル帯域を使用して送信するノードの数、またはそれらの組合せのうちの１つまたは複数に基づいて決定される、Ｃ８に記載の方法。
［Ｃ１０］  前記共有無線周波数スペクトル帯域を使用する送信の前記数を識別することは、
前記共有無線周波数スペクトル帯域を使用する第１の送信を識別することと、
前記第１の送信がデータ送信であると決定することと、
前記第１の送信がデータ送信であるという前記決定に続いて、送信の前記数のカウントを増分することと
を備える、Ｃ１に記載の方法。
［Ｃ１１］  前記共有無線周波数スペクトル帯域を使用する送信の前記数を識別することは、
前記第１の送信がデータ送信でないと決定することと、
前記送信がデータ送信でないという前記決定に続いて、送信の前記数の前記カウントを維持することと
をさらに備える、Ｃ１０に記載の方法。
［Ｃ１２］  前記共有無線周波数スペクトル帯域を使用する送信の前記数を識別することが、
観測スロット長さ、初期測定延期期間、またはバックオフ期間、またはそれらの組合せのうちの１つまたは複数に少なくとも部分的に基づいて、前記共有無線周波数スペクトル帯域のエネルギーレベルを測定すること
を備える、Ｃ１に記載の方法。
［Ｃ１３］  前記測定されたエネルギーレベルがエネルギー検出しきい値を超えることに少なくとも部分的に基づいて、送信が決定される、Ｃ１２に記載の方法。
［Ｃ１４］  前記ワイヤレス通信デバイスが基地局であり、前記新しいＣＷ値が、前記共有無線周波数スペクトル帯域を使用する、ユーザ機器（ＵＥ）へのダウンリンク（ＤＬ）送信の送信のために使用される、Ｃ１に記載の方法。
［Ｃ１５］  前記ワイヤレス通信デバイスが基地局であり、ここにおいて、前記方法が、
前記共有無線周波数スペクトル帯域を使用してアップリンク（ＵＬ）送信を前記基地局に送信する際の１つまたは複数のユーザ機器（ＵＥ）デバイスによる使用のために、前記新しいＣＷ値を前記１つまたは複数のＵＥデバイスにシグナリングすること
をさらに備える、Ｃ１に記載の方法。
［Ｃ１６］  前記基地局へのＵＬ送信を試みるようにスケジュールされたＵＥの数と、前記共有無線周波数スペクトル帯域を使用して送信するように構成されたＵＥの総数とに少なくとも部分的に基づいて、前記新しいＣＷ値をスケーリングすること
をさらに備える、Ｃ１５に記載の方法。
［Ｃ１７］  前記ワイヤレス通信デバイスがユーザ機器（ＵＥ）であり、前記新しいＣＷ値が、前記共有無線周波数スペクトル帯域を使用する、基地局へのアップリンク（ＵＬ）送信の送信のために使用される、Ｃ１に記載の方法。
［Ｃ１８］  ワイヤレス通信デバイスにおけるワイヤレス通信のための装置であって、
前記ワイヤレス通信デバイスの２つまたはそれ以上のリッスンビフォアトーク（ＬＢＴ）プロシージャ間の、共有無線周波数スペクトル帯域を使用する送信の数に少なくとも部分的に基づいて、送信ごと中断（ＩＰＴ）値を識別するための手段と、
前記ＩＰＴ値に少なくとも部分的に基づいてターゲット競合ウィンドウ（ＣＷ）値を決定するための手段と、
前記ターゲットＣＷ値と前記ワイヤレス通信デバイスの前のＬＢＴプロシージャに関連する前のＣＷ値とに少なくとも部分的に基づいて、新しいＣＷ値を計算するための手段とを備える、装置。
［Ｃ１９］  前記ＩＰＴ値を識別するための前記手段が、
前記ワイヤレス通信デバイスの第１のＬＢＴプロシージャと前記ワイヤレス通信デバイスの第２のＬＢＴプロシージャとの間の、前記共有無線周波数スペクトル帯域を使用する送信の数を識別するための手段
を備える、Ｃ１８に記載の装置。
［Ｃ２０］  前記ＩＰＴ値を識別するための前記手段が、
前記ワイヤレス通信デバイスの複数のＬＢＴプロシージャ間の送信の複数の識別された数を平均化するための手段
を備える、Ｃ１８に記載の装置。
［Ｃ２１］  前記新しいＣＷ値を計算するための前記手段は、
前記前のＣＷ値が前記ターゲットＣＷ値よりも大きいと決定するための手段と、
前記新しいＣＷ値を最小ＣＷ値として設定するための手段と
を備える、Ｃ１８に記載の装置。
［Ｃ２２］  前記新しいＣＷ値を計算するための前記手段は、
前記前のＣＷ値が前記ターゲットＣＷ値よりも小さいと決定するための手段と、
２倍の前のＣＷ値を計算するための手段と、
前記新しいＣＷ値を、前記２倍の前のＣＷ値が最大ＣＷ値を超える場合、前記最大ＣＷ値として設定するか、または、前記２倍の前のＣＷ値として設定するための手段と
を備える、Ｃ１８に記載の装置。
［Ｃ２３］  前記新しいＣＷ値を計算するための前記手段が、
前記新しいＣＷ値を計算する際に使用するためのスケーリングファクタを識別するための手段と、
前記ターゲットＣＷ値と前記前のＣＷ値との間の差に前記スケーリングファクタを適用するための手段と、
前記ターゲットＣＷ値と前記前のＣＷ値との間の前記スケーリングされた差に少なくとも部分的に基づいて、前記新しいＣＷ値を計算するための手段と
を備える、Ｃ１８に記載の装置。
［Ｃ２４］  前記共有無線周波数スペクトル帯域を使用する送信の前記数を識別するための前記手段は、
前記共有無線周波数スペクトル帯域を使用する第１の送信を識別するための手段と、  前記第１の送信がデータ送信であると決定するための手段と、
前記第１の送信がデータ送信であるという前記決定に続いて、送信の前記数のカウントを増分するための手段と
を備える、Ｃ１８に記載の装置。
［Ｃ２５］  前記共有無線周波数スペクトル帯域を使用する送信の前記数を識別するための前記手段が、
観測スロット長さ、初期測定延期期間、またはバックオフ期間、またはそれらの組合せのうちの１つまたは複数に少なくとも部分的に基づいて、前記共有無線周波数スペクトル帯域のエネルギーレベルを測定するための手段
を備える、Ｃ１８に記載の装置。
［Ｃ２６］  前記ワイヤレス通信デバイスが基地局であり、前記新しいＣＷ値が、前記共有無線周波数スペクトル帯域を使用する、ユーザ機器（ＵＥ）へのダウンリンク（ＤＬ）送信の送信のために使用される、Ｃ１８に記載の装置。
［Ｃ２７］  前記ワイヤレス通信デバイスが基地局であり、ここにおいて、前記装置が、
前記共有無線周波数スペクトル帯域を使用してアップリンク（ＵＬ）送信を前記基地局に送信する際の１つまたは複数のユーザ機器（ＵＥ）デバイスによる使用のために、前記新しいＣＷ値を前記１つまたは複数のＵＥデバイスにシグナリングするための手段
をさらに備える、Ｃ１８に記載の装置。
［Ｃ２８］  前記ワイヤレス通信デバイスがユーザ機器（ＵＥ）であり、前記新しいＣＷ値が、前記共有無線周波数スペクトル帯域を使用する、基地局へのアップリンク（ＵＬ）送信の送信のために使用される、Ｃ１８に記載の装置。
［Ｃ２９］  ワイヤレス通信デバイスにおけるワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
前記ワイヤレス通信デバイスの２つまたはそれ以上のリッスンビフォアトーク（ＬＢＴ）プロシージャ間の、共有無線周波数スペクトル帯域を使用する送信の数に少なくとも部分的に基づいて、送信ごと中断（ＩＰＴ）値を識別することと、
前記ＩＰＴ値に少なくとも部分的に基づいてターゲット競合ウィンドウ（ＣＷ）値を決定することと、
前記ターゲットＣＷ値と前記ワイヤレス通信デバイスの前のＬＢＴプロシージャに関連する前のＣＷ値とに少なくとも部分的に基づいて、新しいＣＷ値を計算することと
を行わせるように動作可能である、装置。
［Ｃ３０］  ワイヤレス通信デバイスにおけるワイヤレス通信のためのコードを記憶する非一時的コンピュータ可読媒体であって、前記コードが、
前記ワイヤレス通信デバイスの２つまたはそれ以上のリッスンビフォアトーク（ＬＢＴ）プロシージャ間の、共有無線周波数スペクトル帯域を使用する送信の数に少なくとも部分的に基づいて、送信ごと中断（ＩＰＴ）値を識別することと、
前記ＩＰＴ値に少なくとも部分的に基づいてターゲット競合ウィンドウ（ＣＷ）値を決定することと、
前記ターゲットＣＷ値と前記ワイヤレス通信デバイスの前のＬＢＴプロシージャに関連する前のＣＷ値とに少なくとも部分的に基づいて、新しいＣＷ値を計算することと
を行うために実行可能な命令を備える、非一時的コンピュータ可読媒体。